(57)【要約】【課題】寝室等の暗い場所であっても所在が容易に把握できて、直ぐに履くことができるスリッパを提供する。【解決手段】本体部１２と、該本体部１２の上面側に設けられる甲皮部１３と、本体部１２の底面側に設けられる底部１４とから少なくとも構成されるスリッパ１１であって、甲皮部１３の一部、及び／又は本体部１２の縁部１５、及び／又は底部１４の一部に蓄光性部材１６を設け、該蓄光性部材１６の上部をレース材１７、メッシュ系テープ、又は透明なフィルムで被覆する。【選択図】図１
0003156665.tif 000002
【実用新案登録請求の範囲】
【請求項１】
本体部と、該本体部の上面側に設けられる甲皮部と、前記本体部の底面側に設けられる底部とから少なくとも構成されるスリッパであって、
前記甲皮部の一部、及び／又は前記本体部の縁部、及び／又は前記底部の一部に蓄光性部材を設け、該蓄光性部材の上部をレース材、メッシュ系テープ、又は透明なフィルムで被覆すること
を特徴とするスリッパ。
【請求項２】
前記蓄光性部材は、６〜８時間の発光機能を備える蓄光テープであること
を特徴とする請求項１に記載のスリッパ。
【請求項３】
前記底部に設けた蓄光性部材の周囲には、滑り止め部材を配設したこと
を特徴とする請求項１に記載のスリッパ。
【請求項４】
前記甲皮部の開口縁部の内部には、形状の復元性能を有する復元部材が配設されていること
を特徴とする請求項１に記載のスリッパ。
【考案の詳細な説明】
【技術分野】
【０００１】
本考案は、スリッパに関するものであり、更に詳しくは、寝室等の暗い場所であっても所在が容易に把握できて、直ぐに履くことができるスリッパに関するものである。
【背景技術】
【０００２】
従来、この種のスリッパとしては、次のような構成のものが知られている。このスリッパは、本体部と甲皮部とを有するスリッパであって、甲皮部の開口縁部と、本体部の上部及び縁部とに蓄光塗料部が設けられている（特許文献１参照）。
【０００３】
このような構成のスリッパは、暗い場所で蓄光塗料部が発光するので、それを目印にスリッパの所在を把握することができる。
【先行技術文献】
【特許文献】
【０００４】
【特許文献１】特開２０００−７０００８号公報
【考案の概要】
【考案が解決しようとする課題】
【０００５】
この従来例のスリッパにおいては、蓄光塗料部が布地又は皮革等の表面に接着等の手段で取り付けられるので、剥がれ易いという欠点を有している。特に、本体部の上部に設けた蓄光塗料部は、履く度に足の裏が接触して擦れるので、すぐに剥がれてしまうこととなる。
【０００６】
また、一般的な蓄光塗料は、暗い場所に置いてから約２〜３時間程度で発光しなくなるので、例えば深夜にスリッパを履く時に蓄光塗料部が発光していないことが多々あるという欠点も有する。
【０００７】
従って、従来例におけるスリッパにおいては、蓄光塗料部が剥がれないようにすることと、長時間に渡って発光機能を維持できるようにすることに解決しなければならない課題を有している。
【課題を解決するための手段】
【０００８】
前記従来例の課題を解決するための本考案の要旨は、本体部と、該本体部の上面側に設けられる甲皮部と、前記本体部の底面側に設けられる底部とから少なくとも構成されるスリッパであって、前記甲皮部の一部、及び／又は前記本体部の縁部、及び／又は前記底部の一部に蓄光性部材を設け、該蓄光性部材の上部をレース材、メッシュ系テープ、又は透明なフィルムで被覆することである。
【０００９】
また、前記蓄光性部材は、６〜８時間の発光性能を備える蓄光テープであること、；
前記底部に設けた蓄光性部材の周囲には、滑り止め部材を配設したこと、；
前記甲皮部の開口縁部の内部には、形状の復元性能を有する復元部材が配設されていること、；
を含むものである。
【考案の効果】
【００１０】
本考案に係るスリッパによれば、寝室等の暗い場所であっても蓄光性部材が発光するので所在が容易に把握できて、直ぐに履くことができる。また、蓄光性部材の上部をレース材、メッシュ系テープ、又は透明なフィルムで被覆するので容易に剥がれることがなく、また、レース材等は透けるので発光の視認性は低下しないという種々の優れた効果を奏する。
【００１１】
また、蓄光性部材は、６〜８時間の発光性能を備える蓄光テープであることによって、長時間に渡って発光機能が維持されるので、例えば深夜にスリッパを履く時にも、常に蓄光塗料部が発光しているという優れた効果を奏する。
【００１２】
そして、底部に設けた蓄光性部材の周囲には、滑り止め部材を配設したことによって、スリッパを履いた状態で滑らないという優れた効果を奏する。
【００１３】
更に、甲皮部の開口縁部の内部には、形状の復元性能を有する復元部材が配設されていることによって、多数のスリッパを重ねて潰れた状態で収納した場合等でも、使用時には直ぐに元の形に復元するという優れた効果を奏する。
【図面の簡単な説明】
【００１４】
【図１】本考案に係るスリッパ１１の一部を破断した状態の斜視図である。
【図２】本考案に係るスリッパ１１の一部を破断した状態の側面図である。
【図３】本考案に係るスリッパ１１の底面図である。
【考案を実施するための形態】
【００１５】
次に、本発明の実施の形態について図面を参照しながら説明する。まず、図１及び図２において、符号１１はスリッパを示し、このスリッパ１１は、本体部１２と、この本体部１２の上面側に設けられる甲皮部１３と、本体部１２の底面側に設けられる底部１４とから構成され、これらの表面は布地又は皮革等の適宜な材料で形成される。
【００１６】
甲皮部１３の一部と、本体部１２の縁部１５とには、テープ状に形成された蓄光性部材１６が貼着又は縫着等の適宜の取付手段で取り付けられている。このように蓄光性部材１６が取り付けられるので、寝室等の暗い場所であっても蓄光性部材１６が発光するので所在が容易に把握できて、直ぐに履くことができる。
【００１７】
蓄光性部材１６は、６〜８時間以上の発光性能を備える蓄光テープであることが望ましい。この場合は、長時間に渡って発光性能が維持されるので、例えば深夜にスリッパを履く時にも、常に蓄光塗料部が発光している。
【００１８】
蓄光性部材１６の上部は、レース材１７で被覆されている。このレース材１７は、蓄光性部材１６よりも大きめに形成されており、このレース材１７が貼着又は縫着等の適宜の取付手段で甲皮部１３に取り付けられている。このように蓄光性部材１６の上部がレース材１７で覆われることにより、蓄光性部材１６が剥がれることがなく、また、レース材１７は透けるので発光の視認性は低下しない。
【００１９】
なお、レース材１７に替えて、メッシュ系テープ又は透明なフィルムを使用してもよい。要するに、甲皮部１３等の表面にしっかりと取り付けられると共に、透ける部材であって蓄光性部材１６の視認性が確保できればよいのである。
【００２０】
底部１４には、図３に示すように、蓄光性部材１８が貼着又は縫着等の適宜の取付手段で取り付けられている。また、蓄光性部材１８の周囲には、滑りにくい材質からなる滑り止め部材１９が貼着又は縫着等の適宜の取付手段で配設されている。
【００２１】
このように底部１４にも蓄光性部材１８が配設されるので、スリッパ１１が上下逆に引っ繰り返っていても、その所在が容易に把握できる。また、滑り止め部材１９の存在によって、スリッパ１１を履いた状態で滑らない。
【００２２】
甲皮部１３の開口縁部２０の内部には、形状の復元性能を有する復元部材２１が配設されている。復元部材２１は、具体的に一例を上げれば、合成樹脂製の梱包用テープ等が望ましい。このように開口縁部２０の内部に復元部材２１を配設したことによって、多数のスリッパ１１を重ねて潰れた状態で収納した場合等でも、使用時には直ぐに元の形に復元する。
【００２３】
以上のように構成されるスリッパ１１は、甲皮部１３の一部と本体部１２の縁部１５とに蓄光性部材１６が取り付けられるので、寝室等の暗い場所であっても蓄光性部材１６が発光するので所在が容易に把握できて、直ぐに履くことができる。また、蓄光性部材１６の上部をレース材１７等で被覆するので剥がれることがない。レース材１７等は透けるので発光の視認性は低下しない。
【符号の説明】
【００２４】
１１  スリッパ
１２  本体部
１３  甲皮部
１４  底部
１５  縁部
１６  蓄光性部材
１７  レース材
１８  蓄光性部材
１９  滑り止め部材
２０  開口縁部
２１  復元部材
【図１】
0003156665.tif 000003
【図２】
0003156665.tif 000004
【図３】
0003156665.tif 000005